(57)【要約】【課題】工期の短縮と省資源化とを達成することができる給水管の配管構造を提供する。【解決手段】チーズ２０Ａの上流側および下流側に直管Ｓが接続された既設給水立て管１０Ｂの、チーズ２０Ａと、これに接続されて上流側および下流側の２つの直管端部Ｓａとから成る被更新配管部Ｐを切断撤去して構成された、上流側残置直管部５１および下流側残置直管部５２と、上流側残置直管部５１と下流側残置直管部５２との間に介設され、被更新配管部Ｐの機能を有する更新用Ｔ字管５０と、上流側残置直管部５１と更新用Ｔ字管５０とを接続する上流側メカニカル継手５３、および下流側残置直管部５２と更新用Ｔ字管５０とを接続する下流側メカニカル継手５４と、を備えたものである。【選択図】図２
0003181260.tif 000002
【実用新案登録請求の範囲】
【請求項１】
管路部品の上流側および下流側に直管が接続された既設給水管の、前記管路部品と、これに接続された上流側および下流側の２つの直管端部とから成る被更新配管部を切断撤去して構成された、上流側残置直管部および下流側残置直管部と、
前記上流側残置直管部と前記下流側残置直管部との間に介設され、前記被更新配管部の機能を有する更新配管部と、
前記上流側残置直管部と前記更新配管部とを接続する上流側継手、および前記下流側残置直管部と前記更新配管部とを接続する下流側継手と、を備えたことを特徴とする給水管の配管構造。
【請求項２】
前記上流側残置直管部と前記更新配管部との間、および前記下流側残置直管部と前記更新配管部との間にそれぞれ介設された管端防食部材を、更に備えたことを特徴とする請求項１に記載の給水管の配管構造。
【請求項３】
前記管路部品が、管継手であり、
前記更新配管部は、前記管路部品に対応する部品本体と、前記２つの直管端部に対応すると共に切り詰め可能な２つの短管部と、で一体に成形されていることを特徴とする請求項１または２に記載の給水管の配管構造。
【請求項４】
前記管路部品が、Ｔ字継手であり、
前記部品本体には、前記部品本体を軸線周りに回転させるための工具掛け部が形成されていることを特徴とする請求項３に記載の給水管の配管構造。
【請求項５】
前記管路部品が、Ｌ字継手であり、
前記部品本体には、上流側および下流側の各接続部を軸線周りに回転させるための２つの工具掛け部が形成されていることを特徴とする請求項３に記載の給水管の配管構造。
【請求項６】
前記管路部品が、バルブであり、
前記更新配管部は、前記管路部品に対応する新規管路部品と、前記新規管路部品に接合され、前記２つの直管端部に対応すると共に切り詰め可能な新規の２つの接続部品と、を有することを特徴とする請求項１または２に記載の給水管の配管構造。
【請求項７】
前記新規管路部品と前記各接続部品とは、ねじ接合されており、
前記各接続部品には、ねじ接合のための工具掛け部が形成されていることを特徴とする請求項６に記載の給水管の配管構造。
【請求項８】
前記既設給水管が、任意の１の階のスラブおよびその上階のスラブのうち、少なくとも一方を貫通して配管された給水立て管であることを特徴とする請求項１ないし７のいずれかに記載の給水管の配管構造。
【請求項９】
前記上流側残置直管部の内面および前記下流側残置直管部の内面は、前記被更新配管部を切断撤去した状態で、圧縮エアーのエアーブローにより清掃されたものであることを特徴とする請求項１ないし８のいずれかに記載の給水管の配管構造。
【考案の詳細な説明】
【技術分野】
【０００１】
本考案は、既設給水管の改修に係る給水管の配管構造に関するものである。
【背景技術】
【０００２】
従来、この種の給水管の配管構造として、スラブを貫通して配管された既設の排水立て管や給水立て管等の取り換え工法を経て、その一部を取り換えたものが知られている（特許文献１参照）。
この取り換え工法は、先ずスラブを貫通する既設配管の途中を、スラブ貫通部分を所定の長さで残した状態で切断除去する。次に、スラブに残した既設配管の内部に、接着剤を塗布した樹脂製のチューブを挿入し、このチューブを膨張させて既設配管の内面に接着すると共にチューブの余剰部分を切断除去することで、既設配管にライニングを行う。その後、既設配管の切断除去した部分に新たな配管を、上下に配設した継手を介して、スラブに残した上下の既設配管に接続する。
このような取り換え工法を経た配管は、スラブ貫通部分を残して既設配管の更新が行われたものとなり、スラブ（穴埋めしたモルタル）の斫り工事を省くことができ、騒音や振動を生ずることなく既設配管のリフォーム工事（更新工事）を効率良く行うことができる。
【先行技術文献】
【特許文献】
【０００３】
【特許文献１】特開２００６−２６６３７４号公報
【考案の概要】
【考案が解決しようとする課題】
【０００４】
ところで、１９８０年代から近年まで、給水管の配管材料（直管）は、主に「水道用硬質塩化ビニルライニング鋼管」や「水道用ポリエチレン紛体ライニング鋼管」が用いられてきており、現在、施工から２０年〜３０年を経て改修が必要とされる既設給水管は、そのほとんどがこのライニング管である。このため、既設給水管は、特殊な場合を除き、直管と継手やバルブとの接合部分、すなわち水と直接接触する部分にのみ腐食（錆瘤等）が生じ、ライニング部分には腐食が生じていないことが知られている。
したがって、上記の従来技術のように、給水立て管に関し、直管部分（ライニング管）を更新することは、１９８０年代以前に用いられていた「水道用亜鉛めっき鋼管」（現在、ほとんどが改修済み）では有用であるが、現在改修が必要とされる給水管（ライニング鋼管）では、改修（更新）の意義がなく、単に省資源化に反するものとなっている。
また、上記の従来技術には記載されていないが、実際の既設給水管（ライニング鋼管）は、結露防止の観点から保温材で被覆されており、給水管の撤去作業に先立ち、保温材を剥がして撤去する作業が必要となる。このため、従来技術のように、長い寸法に亘って給水管（給水立て管）を更新するものでは、足場等が必要となるだけでなく、保温材の更新作業に手間がかかり、工期が長くなる問題がある。更新工事では、断水が前提となるため、工期が長くなると、特に集合住宅等では、居住者の生活に大きな影響を及ぼすことになる。
【０００５】
本考案は、更新対象となる給水管が、継手廻りやバルブ廻りにのみ腐食が生じていることに着目して為されたものであり、工期の短縮と省資源化とを達成することができる給水管の配管構造を提供すること課題としている。
【課題を解決するための手段】
【０００６】
本考案の給水管の配管構造は、管路部品の上流側および下流側に直管が接続された既設給水管の、管路部品と、これに接続されて上流側および下流側の２つの直管端部とから成る被更新配管部を切断撤去して構成された、上流側残置直管部および下流側残置直管部と、上流側残置直管部と下流側残置直管部との間に介設され、被更新配管部の機能を有する更新配管部と、上流側残置直管部と更新配管部とを接続する上流側継手、および下流側残置直管部と更新配管部とを接続する下流側継手と、を備えたことを特徴とする。
【０００７】
この構成によれば、管路部品と、上流側および下流側の直管の２つの直管端部とから成る被更新配管部、すなわち腐食の発生がみられる管路部品廻りのみ更新（保温材の更新も含む）した構成であるため、改修の適正化を図りつつ、工期の短縮および省資源化を達成することができる。特に、給水立て管等においては、各階の分岐継手（管路部品）の位置が決まっており（スラブから１．２ｍ前後の高さ）、足場等を仮設する必要がなく、管路部品廻りの更新を簡単且つ短時間で行うことができる。また、既設給水管における壁やスラブの貫通部分は、更新の対象外となるため、斫り工事に伴う騒音や粉塵の問題も発生しない。ひいては、居住者等への影響を極力する少なくすることができる。なお、「管路部品」とは、管継手やバルブ等の、直管以外の管路構成部品がこれに該当する。
【０００８】
この場合、上流側残置直管部と更新配管部との間、および下流側残置直管部と更新配管部との間にそれぞれ介設された管端防食部材を、更に備えることが好ましい。
【０００９】
上流側残置直管部および下流側残置直管部の切断端は、金属部分がむき出しとなり、将来的に腐食の発生個所となるおそれがある。
この構成によれば、腐食の可能性がある部分に管端防食部材を介設しているため、上記の切断端と水が直接接触することがなく、この部分の腐食を有効に防止することができる。なお、更新配管部は、材質や内面および端部の処理等により、防食機能を有するものを用いることが好ましい。
【００１０】
また、管路部品が、管継手であり、更新配管部は、管路部品に対応する部品本体と、２つの直管端部に対応すると共に切り詰め可能な２つの短管部と、で一体に成形されていることが好ましい。
【００１１】
更新配管部は、管継手の流入口および流出口にそれぞれ短管を接合して構成してもよいが、これらの機能を奏する一体成形品とすることで、管継手自体の防食性を高めることができると共に、組立ての手間を省くことができる。特に、管継手への短管の組み込みは、接合作業に先立ち、管切断およびねじ切り等の作業（短管の製作）が必要となるため、工数が増してコストアップになる。また、更新配管部（短管部）を、材料の適正化等により切り詰め可能なものとすれば、上流側残置直管部および下流側残置直管部の切断位置の誤差等を吸収することができる。なお、切り詰め可能な材料（厳密には、切り詰め容易な材料）としては、砲金等の非鉄金属（合金を含む）や樹脂が好ましい。また、管継手には、Ｔ字継手（チーズ）、Ｌ字継手（エルボ）、ソケット、径違いソケット等がある。
【００１２】
この場合、管路部品が、Ｔ字継手であり、部品本体には、部品本体を軸線周りに回転させるための工具掛け部が形成されていることが好ましい。
【００１３】
この構成によれば、上流側継手および下流側継手を仮締めした状態（好ましくは、Ｔ字継手が軸方向のズレない状態）で、Ｔ字継手の軸線周りの位置決め、すなわちＴ字継手の分岐口とこれに接続される分岐管との位置合わせを、簡単に行うことができる。
【００１４】
同様に、管路部品が、Ｌ字継手であり、部品本体には、上流側および下流側の各接続部を軸線周りに回転させるための２つの工具掛け部が形成されていることが好ましい。
【００１５】
この構成によれば、上流側継手により上流側の接続部を上流側残置直管部に仮締めした状態で、下流側残置直管部に対する下流側の接続部の角度合わせを、簡単に行うことができる。或いは、下流側継手により下流側の接続部を下流側残置直管部に仮締めした状態で、上流側残置直管部に対する上流側の接続部の角度合わせを、簡単に行うことができる。
【００１６】
また、管路部品が、バルブであり、更新配管部は、管路部品に対応する新規管路部品と、新規管路部品に接合され、２つの直管端部に対応すると共に切り詰め可能な新規の２つの接続部品と、を有することが好ましい。
【００１７】
この構成によれば、新規のバルブ（新規管路部品）に２つの接続部品を接合するだけで、更新配管部を簡単に組み立てることができる。すなわち、接続部品は、短管のように管切断およびねじ切り等の作業を必要としない。また、接続部品を、材料の適正化等により切り詰め可能なものとすれば、上流側残置直管部および下流側残置直管部の切断位置の誤差等を吸収することができる。
【００１８】
この場合、新規管路部品と各接続部品とは、ねじ接合されており、各接続部品には、ねじ接合のための工具掛け部が形成されていることが好ましい。
【００１９】
この構成によれば、工場等において、予め各接続部品のバルブへの接合を簡単且つ適切に行うことができる。
【００２０】
一方、既設給水管が、任意の１の階のスラブおよびその上階のスラブのうち、少なくとも一方を貫通して配管された給水立て管であることが好ましい。
【００２１】
この構成によれば、給水立て管におけるスラブ貫通部分を、上流側残置直管部および下流側残置直管部とすることができ、配管の更新においてスラブ（穴埋めしたモルタル）の斫り工事を必要としない。また、例えば５階建て集合住宅等では、１系統の給水立て管（５住戸または１０住戸分）を、昼間工事で完了することができ、居住者の生活への影響を極力する少なくすることができる。
【００２２】
また、上流側残置直管部の内面および下流側残置直管部の内面は、被更新配管部を切断撤去した状態で、圧縮エアーのエアーブローにより清掃されたものであることが好ましい。
【００２３】
この構成によれば、給水管内に管切断時の切粉等が残留することがなく、切粉等による腐食（電蝕）や水回りの機器・器具等の故障を未然に防止することができる。なお、圧縮エアーによる洗浄は、高圧洗浄等と異なり大掛かりな設備を必要としない。
【図面の簡単な説明】
【００２４】
【図１】実施形態に係る給水設備の配管系統図（一部）である。
【図２】チーズ廻りにおける給水管の部分更新工法（ａ）〜（ｃ）および配管構造（ｄ）の説明図である。
【図３】更新用Ｔ字管の構造図である。
【図４】エルボ廻りにおける給水管の部分更新工法（ａ）〜（ｃ）および配管構造（ｄ）の説明図である。
【図５】更新用Ｌ字管の構造図である。
【図６】径違いソケット廻りにおける給水管の部分更新工法（ａ）〜（ｃ）および配管構造（ｄ）の説明図である。
【図７】更新用ソケット管の構造図である。
【図８】止水弁廻りにおける給水管の部分更新工法（ａ）〜（ｃ）および配管構造（ｄ）の説明図である。
【図９】更新用止水弁ユニットの構造図である。
【考案を実施するための形態】
【００２５】
以下、添付の図面を参照して、本考案の実施形態に係る給水管の配管構造を、給水管の部分更新工法と併せて説明する。この給水管の配管構造は、部分更新工法により継手廻りまたはバルブ廻りのみ更新したものであり、また部分更新工法は、現時点で施工から２０〜３０年経過した既設給水管を対象としている。更新対象となる給水管の管材（直管部分）は、そのほとんどが「水道用硬質塩化ビニルライニング鋼管」や「水道用ポリエチレン紛体ライニング鋼管」であり、本実施形態は、保温材を含め、腐食が生じている継手廻り或いはバルブ廻りのみを部分的に更新するものである。その結果、この部分更新工法では、既設給水管の壁貫通部分やスラブ貫通部分を含んで、ほとんどの直管部分（ライニング鋼管部分）はそのまま残置される。
【００２６】
図１は、５階建て集合住宅における給水設備の配管系統図の一部を表している。同図に示すように、この給水設備では、高架水槽１に連なる給水横主管１０Ａから複数の給水立て管１０Ｂが分岐し、さらに各給水立て管１０Ｂから各住戸に給水する給水枝管１０Ｃ（住戸内給水管）が分岐している。また、高架水槽１には受水槽２からの揚水管１０Ｄが接続され、受水槽２には、水道本管（図示省略）から分岐した引込み管１０Ｅが接続されている。引込み管１０Ｅから受水槽２に流入した水道水は、揚水管１０Ｅを介して高架水槽１にポンプアップされ、給水横主管１０Ａおよび給水立て管１０Ｂを経て、重力式で給水枝管１０Ｃにより各住戸に供給される。
【００２７】
このように、給水横主管１０Ａ、給水立て管１０Ｂ、給水枝管１０Ｃ、引込み管１０Ｄおよび揚水管１０Ｅにより、給水管１０（既設給水管）が構成されており、給水管１０は適宜、建物内のコンクリート壁（図示省略）やスラブ３を貫通して配管されている。本実施形態では、主にスラブ３を貫通して配管されている給水立て管１０Ｂを例に、その部分更新工法および配管構造について説明を進める。なお、言うまでもないが、給水管１０において、継手２０（管継手）、バルブ３０等の器具およびポンプ４等の機器以外の配管部分は、上記の直管Ｓ（ライニング鋼管）で配管されている。また、ポンプ４等の機器廻りの配管部分は、フランジ接合で配管されているが、その他の部分はねじ接合により配管されている。
【００２８】
各給水立て管１０Ｂは、チーズ２０Ａ（Ｔ字継手：管継手）やエルボ２０Ｂ（Ｌ字継手：管継手）を介して給水横主管１０Ａから分岐し、各階のスラブ３を貫通して上から下に延びている（下向き配管）。スラブ３の貫通部分には直管Ｓが配管され、直管Ｓのスラブ３の貫通部分は、スラブ３と直管Ｓとの間隙を穴埋めしたモルタル５に固定されている。また、給水管１０は、結露防止を考慮して、直管Ｓ、継手２０およびバルブ３０を問わず保温材Ｈで被覆されている（図２参照）。そして、特に図示しないが、各給水立て管１０Ｂは、排水管、ガス管等の他の設備配管と共に専用の配管スペース（パイプシャフト）に配管されている。
【００２９】
図１に示すように、各給水立て管１０Ｂには、系統別に止水を行えるように、その上端部に縦並びとなる住戸に共通の止水弁３０Ａ（制水弁）が設けられている。また、住戸内の水栓や衛星器具の同時使用率を加味して設計された給水立て管１０Ｂは、上から下に向かって、筍状に適宜、縮径されている。給水立て管１０Ｂの縮径部分には、上側（上流側）の太径の直管Ｓと、下側（下流側）の細径の直管Ｓとを接続する径違いソケット２０Ｃ（管継手）が設けられている。
【００３０】
また、直線部分が長い配管では、定尺である直管Ｓは同径の直管Ｓ同士を接続する部分が生ずる。例えば、直線部分が長い給水横主管１０Ａでは、直管Ｓ同士を接続するためにソケット２０Ｄ（管継手）が設けられている。さらに、給水立て管１０Ｂには、各階のスラブ３上の約１．２ｍの位置に、住戸内に給水枝管１０Ｃを分岐するためのチーズ２０Ａ（Ｔ字継手）が設けられている。もっとも、給水立て管１０Ｂの１階の分岐部分は、チーズ２０Ａに代えてエルボ２０Ｂ（Ｌ字継手）が設けられている。
【００３１】
そして、各住戸に対応する給水枝管１０Ｃには、住戸個別の止水弁３０Ａおよび量水器４０が設けられている。なお、図示左側の給水立て管１０Ｂは、５階から１階に亘って縦に並ぶ計５住戸に水道水を供給し、図示右側の給水立て管１０Ｂは、５階から１階に亘って両側の縦に並ぶ計１０住戸に水道水を供給する。このため、右側の給水立て管１０Ｂでは、給水立て管１０Ｂから分岐した給水枝管１０Ｃが、さらに２分岐し量水器４０を経て両側の住戸内にそれぞれ配管されている。なお、止水弁３０Ａおよび量水器４０は、上記の配管スペースに配設されている。
【００３２】
図２は、基準階（２〜５階）におけるチーズ２０Ａ廻りの給水立て管１０Ｂ（給水管１０）の配管構造および部分更新工法を表している。
同図（ａ）に示すように、既設の給水立て管１０Ｂは、上階および当該階のスラブ３を貫通して上下方向に延在しており、その中間部には、住戸分岐用のチーズ２０Ａ（Ｔ字継手）が設けられている。すなわち、部分更新前の給水立て管１０Ｂは、スラブ３上の約１．２ｍの位置に配設したチーズ２０Ａに対し、その流入口に上流側の直管Ｓがねじ接合され、流出口に下流側の直管Ｓがねじ接合されている。
【００３３】
また、図示の２点鎖線で示すように、給水立て管１０Ｂには、保温材Ｈ（保温筒＋亀甲金網）が設けられている。詳細は後述するが、このように構成された既設の給水立て管１０Ｂにおいて、チーズ２０Ａの上流側近傍および下流側近傍で直管Ｓを切断し、このチーズ２０Ａと切断後の上流側および下流側の２つの直管端部Ｓａとから成る被更新配管部Ｐ（およびこの部分の保温材Ｈ）を更新するようにしている。
【００３４】
一方、同図（ｄ）に示すように、部分更新後の給水立て管１０Ｂは、それぞれ直管端部Ｓａが切り離された上流側の上流側残置直管部５１および下流側の下流側残置直管部５２と、上流側残置直管部５１と下流側残置直管部５２との間に介設され、上記の被更新配管部Ｐに対応する更新用Ｔ字管５０（更新配管部）と、上流側残置直管部５１と更新用Ｔ字管５０とを接続する上流側メカニカル継手５３（上流側継手）および下流側残置直管部５２と更新用Ｔ字管５０とを接続する下流側メカニカル継手５４（下流側継手）と、上流側残置直管部５１と更新用Ｔ字管５０との間および下流側残置直管部５２と更新用Ｔ字管５０との間にそれぞれ介設された管端防食部材５５（同図（ｃ）参照）と、を備えている。上流側メカニカル継手５３および下流側メカニカル継手５４は同一のものであり、本実施形態では、締付け型のものを用いている。
【００３５】
図３に示すように、更新用Ｔ字管５０は、チーズ１０Ａに対応するＴ字管本体と５６、上流側および下流側の直管端部Ｓａに対応する２つの短管部５７と、を有している。そして、このＴ字管本体５６と、Ｔ字管本体５６の上流側および下流側に連なる２つの短管部５７とは、防食を考慮して砲金や樹脂等により一体に成型されている。Ｔ字管本体５６は、チーズ１０Ａの機能を有しており、分岐ポートには、給水枝管１０を接合するためのテーパー雌ねじ５８が形成されている。また、Ｔ字管本体５６の両主ポート間の外観部分は、工具掛け５９（モンキーレンチやモーターレンチ用）となるように、正方形或いは六角形の断面形状に形成されている（図示のものは、断面正方形）。
【００３６】
各短管部５７は、Ｔ字管本体５６の主ポートから一体に延在しており、円筒状に且つ切り詰め可能に形成されている。また、短管部５７は、上流側残置直管部５１（下流側残置直管部５２）と内径および外径が同径に形成されている。この場合、短管部５７の長さは、上記の上流側メカニカル継手５３（下流側メカニカル継手５４）の呑込み代および自身の切詰め代を考慮した長さに形成されている。例えば、現場において、障害物により被更新配管部Ｐを所定の寸法より短く切断せざる得ない場合には、短管部５７を切り詰めるようにしている。なお、各短管部５７の表面には、切詰めの指標となる目盛（例えば、ミリ単位の目盛）を形成しておくことが好ましい。
【００３７】
図２（ｃ）に示すように、管端防食部材５５は、いわゆる管端コアであり、更新用Ｔ字管５０の上流側では、上流側残置直管部５１の切断端に装着され、更新用Ｔ字管５０の下流側では、下流側残置直管部５２の切断端に装着されている。すなわち、各管端防食部材５５は、金属部分がむき出しとなる上流側残置直管部５１の切断端および下流側残置直管部５２の切断端と、更新用Ｔ字管５０の両短管部５７との間に介設されている。これにより、水道水と上流側残置直管部５１（または下流側残置直管部５２）の切断端とが直接接触することがなく、この部分の腐食を有効に防止することができる。
【００３８】
ここで、図２（ａ）〜（ｄ）を参照して、チーズ２０Ａ廻りにおける給水立て管１０Ｂの部分更新工法について説明する。上述のように既設の給水立て管１０Ｂは、上流側の直管Ｓと下流側の直管Ｓとの間にチーズ２０Ａが介設された配管形態となっており、内視鏡検査等によりチーズ２０Ａ廻りに腐食が認められている（同図（ａ）参照）。また、上述のように、給水立て管１０Ｂは保温材Ｈで被覆されている。なお、給水枝管１０Ｃは、既に改修（更新）を終わっているものとする。
【００３９】
この状態（同図（ａ）参照）から、先ず保温材Ｈの被更新配管部Ｐに対応する部分を撤去する。例えば、チーズ２０Ａの中心から上下５０〜６０ｃｍの範囲に亘って、保温材Ｈを引き剥がして撤去する。保温材Ｈを撤去して被更新配管部Ｐを露出させたら、レシプロソー等により、チーズ２０Ａの上流側近傍および下流側近傍の２箇所で上下の直管Ｓを切断する。続いて、上下の直管Ｓから切り離された被更新配管部Ｐを撤去する（同図（ｂ）参照）。
被更新配管部Ｐの切断により、上流側残置直管部５１の切断端および下流側残置直管部５２の切断端には、バリが生じ且つ管内部に切粉が残る。そこで、これら切断端にはリーマ掛けを行ってバリ等を除去する。また、上流側残置直管部５１および下流側残置直管部５２は、圧縮エアーのエアーブローにより管内部を清掃する。管内部の清掃が終了したら、両切断端に管端防食部材５５をそれぞれ装着する（同図（ｃ）参照）。
【００４０】
次に、上流側残置直管部５１に上流側メカニカル継手５３を、また下流側残置直管部５２に下流側メカニカル継手５４を嵌め入れた後、上流側残置直管部５１と下流側残置直管部５２との間に更新用Ｔ字管５０を宛がう。ここで、上流側メカニカル継手５３を引き下げ、仮締めを行って上流側残置直管部５１と更新用Ｔ字管５０の上流側を接合する。同様に、下流側メカニカル継手５４を引き上げ、仮締めを行って下流側残置直管部５２と更新用Ｔ字管５０の下流側を接合する。次に、レンチ等により、更新用Ｔ字管５０を軸線周りに回転させ、給水岐管１０Ｃと適切に接合できるように調整する。そして、上流側メカニカル継手５３および下流側メカニカル継手５４を本締めする。このようにして、給水立て管１０Ｂを部分更新したら、最後に、既設の保温材Ｈの撤去部分に、新たな保温材Ｈを施工し復旧を行う（同図（ｄ）参照）。
【００４１】
図４は、エルボ２０Ｂ廻りの給水管１０の配管構造および部分更新工法を表している。エルボ２０Ｂは、給水横主管１０Ａから給水立て管１０Ｂに移行する部分や、１階において給水立て管１０Ｂから給水枝管１０Ｃに移行する部分に設けられている。ここでは、給水横主管１０Ａから給水立て管１０Ｂに移行する部分の給水管１０を例に、上記のチーズ２０Ａ廻りと異なる部分を中心に説明を進める。
【００４２】
同図（ａ）に示すように、部分更新前の給水管１０には、スラブ３上の位置にエルボ２０Ｂが配設され、その流入口には水平方向に延びる上流側の直管Ｓ（給水横主管１０Ａ）がねじ接合され、流出口には鉛直方向に延びる下流側の直管Ｓ（給水立て管１０Ｂ）がねじ接合されている。また、図示の２点鎖線で示すように、給水管１０には、保温材Ｈ（保温筒＋亀甲金網）が設けられている。そして、この場合も、給水管１０において、エルボ２０Ｂの上流側近傍および下流側近傍で直管Ｓを切断し、このエルボ２０Ｂと切断後の上流側および下流側の２つの直管端部Ｓａとから成る被更新配管部Ｐ（およびこの部分の保温材Ｈ）を更新するようにしている。
【００４３】
一方、同図（ｄ）に示すように、部分更新後の給水管１０は、それぞれ直管端部Ｓａが切り離された上流側の上流側残置直管部５１（給水横主管１０Ａ）および下流側の下流側残置直管部５２（給水立て管１０Ｂ）と、上流側残置直管部５１と下流側残置直管部５２との間に介設され、上記の被更新配管部Ｐに対応する更新用Ｌ字管６０（更新配管部）と、上流側残置直管部５１と更新用Ｌ字管６０とを接続する上流側メカニカル継手５３（上流側継手）および下流側残置直管部５２と更新用Ｌ字管６０とを接続する下流側メカニカル継手５４（下流側継手）と、上流側残置直管部５１と更新用Ｌ字６０との間および下流側残置直管部５２と更新用Ｌ字管６０との間にそれぞれ介設された管端防食部材５５（同図（ｃ）参照）と、を備えている。
【００４４】
図５に示すように、更新用Ｌ字管６０は、エルボ２０Ｂに対応するＬ字管本体６６と、上流側および下流側の直管端部Ｓａに対応する２つの短管部６７と、を有している。そして、エルボ２０Ｂの機能を有するＬ字管本体６６と、Ｌ字管本体６６の上流側および下流側に連なる２つの短管部６７とは、砲金や樹脂等により一体に成型されている。また、Ｌ字管本体６６におけるＬ字状の外観部分は、２つの工具掛け６８となるように、正方形或いは六角形の断面形状に形成されている（図示のものは、断面正方形）。なお、各短管部６７および各管端防食部材５５は、上記の更新用Ｔ字管５０の場合と同様であるため、ここでは、説明を省略する。
【００４５】
次に、図４（ａ）〜（ｄ）を参照して、エルボ２０Ｂ廻りにおける給水管１０の部分更新工法について説明する。上述のように既設の給水管１０は、上流側の直管Ｓと下流側の直管Ｓとの間にエルボ２０Ｂが介設された配管形態となっている（同図（ａ）参照）。この状態から、上記と同様に、先ず保温材Ｈの被更新配管部Ｐに対応する部分を撤去する。保温材Ｈを撤去したら、エルボ２０Ｂの上流側近傍および下流側近傍の２箇所で直管Ｓを切断し、直管Ｓから切り離された被更新配管部Ｐを撤去する（同図（ｂ）参照）。
【００４６】
次に、上流側残置直管部５１の切断端および下流側残置直管部５２の切断端のバリ等を除去し、その後、圧縮エアーのエアーブローにより管内部を清掃する。管内部の清掃が終了したら、両切断端に管端防食部材５５をそれぞれ装着する（同図（ｃ）参照）。続いて、更新用Ｌ字管６０を、上流側メカニカル継手５３の仮締めにより上流側残置直管部５１に接合する。ここで、更新用Ｌ字管６０を回転させ、下流側残置直管部５２に位置合わせすると共に、下流側メカニカル継手５４を移動し仮締めにより下流側残置直管部５２に接合する。そして、上流側メカニカル継手５３および下流側メカニカル継手５４を本締めする。最後に、保温材Ｈの復旧を行う（同図（ｄ）参照）。
【００４７】
図６は、径違いソケット２０Ｃ廻りの給水管１０の配管構造および部分更新工法を表している。ここでは、径違いソケット２０廻りの給水立て管１０Ｂを例に、上記のチーズ２０Ａ廻りと異なる部分を中心に説明する。なお、ソケット２０Ｄ廻りは、径違いソケット２０Ｃ廻りと同様の配管構造および部分更新工法となるため、ここでは説明を省略する。
【００４８】
同図（ａ）に示すように、部分更新前の給水立て管１０Ｂには、スラブ３上の位置に径違いソケット２０Ｃが配設され、その流入口には上流側の太径の直管Ｓがねじ接合され、流出口には下流側の細径の直管Ｓがねじ接合されている。また、図示の２点鎖線で示すように、給水立て管１０Ｂには、保温材Ｈが設けられている。そして、この場合も、給水立て管１０Ｂにおいて、径違いソケット２０Ｃの上流側近傍および下流側近傍で直管Ｓを切断し、この径違いソケット２０Ｃと切断後の上流側および下流側の２つの直管端部Ｓａとから成る被更新配管部Ｐ（およびこの部分の保温材Ｈ）を更新するようにしている。
【００４９】
一方、同図（ｄ）に示すように、部分更新後の給水立て管１０Ｂは、それぞれ直管端部Ｓａが切り離された上流側の上流側残置直管部５１および下流側の下流側残置直管部５２と、上流側残置直管部５１と下流側残置直管部５２との間に介設され、上記の被更新配管部Ｐに対応する更新用ソケット管７０（更新配管部）と、上流側残置直管部５１と更新用ソケット管７０とを接続する上流側メカニカル継手５３（上流側継手）および下流側残置直管部５２と更新用ソケット管７０とを接続する下流側メカニカル継手５４（下流側継手）と、上流側残置直管部５１と更新用ソケット管７０との間および下流側残置直管部５２と更新用ソケット管７０との間にそれぞれ介設された管端防食部材５５（同図（ｃ）参照）と、を備えている。
【００５０】
図７に示すように、更新用ソケット管７０は、径違いソケット２０Ｃに対応するソケット管本体７６と、上流側および下流側の直管端部Ｓａに対応する２つの短管部７７と、を有している。２つの短管部７７は、上流側残置直管部５１と同径の太径短管部７７ａと、下流側残置直管部５２と同径の細径短管部７７ｂとで構成されている。そして、このソケット管本体７６と２つの短管部７７とは、砲金や樹脂等により一体に成型されている。
【００５１】
次に、図６（ａ）〜（ｄ）を参照して、径違いソケット２０Ｃ廻りにおける給水立て管１０Ｂの部分更新工法について説明する。上述のように既設の給水立て管１０Ｂには、上流側の直管Ｓと下流側の直管Ｓとの間に径違いソケット２０Ｃが介設されている（同図（ａ）参照）。この状態から、上記と同様に、先ず保温材Ｈの被更新配管部Ｐに対応する部分を撤去する。保温材Ｈを撤去したら、径違いソケット２０Ｃの上流側近傍および下流側近傍の２箇所で直管Ｓを切断し、直管Ｓから切り離された被更新配管部Ｐを撤去する（同図（ｂ）参照）。
【００５２】
次に、上流側残置直管部５１の切断端および下流側残置直管部５２の切断端のバリ等を除去し、その後、圧縮エアーのエアーブローにより管内部を清掃する。管内部の清掃が終了したら、両切断端に管端防食部材５５をそれぞれ装着する（同図（ｃ）参照）。続いて、更新用ソケット管７０を、上流側メカニカル継手５３および下流側メカニカル継手５４により、上流側残置直管部５１および下流側残置直管部５２に接合する。最後に、保温材Ｈの復旧を行う（同図（ｄ）参照）。
【００５３】
図８は、止水弁３０Ａ廻りの給水管１０の配管構造および部分更新工法を表している。ここでは、止水弁３０Ａ廻りの給水立て管１０Ｂを例に、上記のチーズ廻りと異なる部分を中心に説明する。
【００５４】
同図（ａ）に示すように、部分更新前の給水立て管１０Ｂには、スラブ３上の位置に止水弁３０Ａが配設され、その流入口には上流側の直管Ｓがねじ接合され、流出口には下流側の直管Ｓがねじ接合されている。また、図示の２点鎖線で示すように、給水立て管１０Ｂには、保温材Ｈが設けられている。そして、この場合も、給水立て管１０Ｂにおいて、止水弁３０Ａの上流側近傍および下流側近傍で直管Ｓを切断し、この止水弁３０Ａと切断後の上流側および下流側の２つの直管端部Ｓａとから成る被更新配管部Ｐ（およびこの部分の保温材Ｈ）を更新するようにしている。
【００５５】
一方、同図（ｄ）に示すように、部分更新後の給水立て管１０Ｂは、それぞれ直管端部Ｓａが切り離された上流側の上流側残置直管部５１および下流側の下流側残置直管部５２と、上流側残置直管部５１と下流側残置直管部５２との間に介設され、上記の被更新配管部Ｐに対応する更新用止水弁ユニット８０（更新配管部）と、上流側残置直管部５１と更新用止水弁ユニット８０とを接続する上流側メカニカル継手５３（上流側継手）および下流側残置直管部５２と更新用止水弁ユニット８０とを接続する下流側メカニカル継手５４（下流側継手）と、上流側残置直管部５１と更新用止水弁ユニット８０との間および下流側残置直管部５２と更新用止水弁ユニット８０との間にそれぞれ介設された管端防食部材５５（同図（ｃ）参照）と、を備えている。
【００５６】
図９に示すように、更新用止水弁ユニット８０は、止水弁３０Ａに対応する新規の止水弁８６と、２つの直管端部Ｓａに対応すると共に新規の止水弁８６にねじ接合される一対の接続短管８７（接続部品）と、で構成されている。各接続短管８７は、砲金や樹脂等により成型されたものであり、一方の端部に止水弁８６に接合されるテーパー雄ねじ８７ａが螺刻されると共に、工具掛け部８７ｂおよびストレート部８７ｃが形成されている。ストレート部８７ｃは、上流側メカニカル継手５３（下流側メカニカル継手５４）が設けられる部位であり、円筒状に且つ切り詰め可能に形成されている。このように構成された更新用止水弁ユニット８０は、予め工場等において、止水弁８６に一対の接続短管８７を組み付けられる。
【００５７】
次に、図８（ａ）〜（ｄ）を参照して、止水弁３０Ａ廻りにおける給水立て管１０Ｂの部分更新工法について説明する。上述のように既設の給水立て管１０Ｂは、上流側の直管Ｓと下流側の直管Ｓとの間に止水弁３０Ａが介設された配管形態となっている（同図（ａ）参照）。この状態から、上記と同様に、先ず保温材Ｈの被更新配管部Ｐに対応する部分を撤去する。保温材Ｈを撤去したら、止水弁３０Ａの上流側近傍および下流側近傍の２箇所で直管Ｓを切断し、直管Ｓから切り離された被更新配管部Ｐを撤去する（同図（ｂ）参照）。
【００５８】
次に、上流側残置直管部５１の切断端および下流側残置直管部５２の切断端のバリ等を除去し、その後、圧縮エアーのエアーブローにより管内部を清掃する。管内部の清掃が終了したら、両切断端に管端防食部材５５をそれぞれ装着する（同図（ｃ）参照）。続いて、更新用止水弁ユニット８０を、上流側メカニカル継手５３および下流側メカニカル継手５４により、上流側残置直管部５１および下流側残置直管部５２に接合する。最後に、保温材Ｈの復旧を行う（同図（ｄ）参照）。
【００５９】
以上のように、本実施形態によれば、被更新配管部Ｐである継手２０廻りやバルブ３０廻りのみ更新する構成であるため、腐食の発生している部分のみを適切に更新することができる。同時に、保温材Ｈの更新等も最小限で済ますことができる。したがって、改修の適正化を図りつつ、工期の短縮および省資源化を達成することができる。特に、給水立て管１０Ｂ等においては、足場等を仮設する必要がなく、配管更新を簡単且つ短時間で行うことができる。また、給水管１０における壁やスラブ３の貫通部分は、更新の対象外となるため、斫り工事に伴う騒音や粉塵の問題も発生しない。特に、本実施形態は、低騒音で且つ１日の昼間工事で作業の完了が求められる集合住宅等の更新工事に好適である。
【００６０】
一方、給水管１０の更新に際し、被更新配管部Ｐに代えて更新Ｔ字管５０（更新用Ｌ字管６０、更新用ソケット管７０、更新用止水弁ユニット８０）を設けるようにしているため、更新工事を迅速に行うことかできる。さらに、更新Ｔ字管５０等は、簡単に切り詰めを行うことができるため、施工性を向上させることができる。またさらに、給水管１０の切断部分に管端防食部材５５を介設するようにしているため、将来的な腐食等を有効に防止することができる。
【００６１】
なお、本実施形態では、いわゆる受水槽方式の給水設備について説明したが、本考案は、水道直結方式の既設給水設備にも適用可能である。また、本実施形態では、上記の給水立て管が下向き配管である場合について説明したが、本考案は、既設の上向き配管にも適用可能である。
【符号の説明】
【００６２】
１０  給水管、１０Ａ  給水横主管、１０Ｂ  給水立て管、１０Ｃ  給水枝管、１０Ｄ  揚水管、１０Ｅ  引込み管、２０  継手、２０Ａ  チーズ、２０Ｂ  エルボ、２０Ｃ  径違いソケット、２０Ｄ  ソケット、３０  バルブ、３０Ａ  止水弁、５０  更新用Ｔ字管、５１  上流側残置直管部、５２  下流側残置直管部、５３  上流側メカニカル継手、５４  下流側メカニカル継手、５５  管端防食部材、５６  Ｔ字管本体、５７  短管部、５９  工具掛け、６０  更新用Ｌ字管、６６  Ｌ字管本体、６７  短管部、６８  工具掛け、７０  更新用ソケット管、７６  ソケット管本体、７７  短管部、８０  更新用止水弁ユニット、８６  止水弁、８７  接続短管、８７ａ  テーパー雄ねじ、８７ｂ  工具掛け、Ｈ  保温材、Ｐ  被更新配管部、Ｓ  直管、Ｓａ  直管端部
【図１】
0003181260.tif 000003
【図２】
0003181260.tif 000004
【図３】
0003181260.tif 000005
【図４】
0003181260.tif 000006
【図５】
0003181260.tif 000007
【図６】
0003181260.tif 000008
【図７】
0003181260.tif 000009
【図８】
0003181260.tif 000010
【図９】
0003181260.tif 000011